(57)【要約】【課題】簡単な構造のレーザーレベルを提供する。【解決手段】レーザーモジュール３０，６０、プリズム４０、及びクロススクリーン５０を備えた錘２０を支持構造上にベアリング台７０に相通したベアリング固定素子２１、スリーブ２２、及びこれと直交するベアリングシャフト７４からなるピンにより支持して、支持構造に対してこれらの２軸の廻りに回転可能として鉛直線を確定する。  レーザーモジュール３０及びレーザーモジュール６０からのレーザーと共に、プリズムによって分光されて相互に直交する分光束及び出射レーザービームとなって照射し、またクロススクリーンを経由して相互に直交するクロスレーザー光面に展開する。【選択図】図２
0003128326.tif 000002
【実用新案登録請求の範囲】
【請求項１】
出射レーザービームおよびクロスレーザー光面を発生するレーザーレベルであって、
機器を収容するケーシングであるシェルフ、錘、レーザーモジュール、分光鏡、クロススクリーンからなり、
該錘は、前記シェルフ上にピン接合されることにより、前記シェルフに対応して少なくとも２軸方向の回りに回転運動をし、前記錘の重心が重力方向に沿って鉛直線を定義し、
該レーザーモジュールは、前記錘中に設置されて、前記鉛直線と直交する方向に伝送するレーザービームを発生するよう配置され、
該分光鏡は、前記錘中の前記レーザービームの伝送経路上に設置され、前記レーザービームを分光して相互に直交する分光束および前記出射レーザービームを発生し、
該クロススクリーンは、前記錘中の前記分光束の伝送経路上に設置され、前記分光束を前記クロスレーザー光面に転換するように構成されたレーザーレベル。
【請求項２】
更に、前記錘中に設置され、前記出射レーザービームと同一直線上で反対方向に出射レーザービームを発生する他のレーザーモジュールを備えたことを特徴とする請求項１記載のレーザーレベル。
【請求項３】
前記分光鏡が、屋根型プリズムである請求項１記載のレーザーレベル。
【請求項４】
前記クロスレーザー光面が、相互に直交する水平レーザー光面および垂直レーザー光面から構成されることを特徴とする請求項１記載のレーザーレベル。
【請求項５】
前記錘が、ベアリング台を介して前記シェルフにピン接合され、前記ベアリング台の中心はベアリングを埋設して前記錘に第１軸方向の回転運動をさせ、前記ベアリングの両側に回転軸方向が前記ベアリングと直交する他の２つのベアリングを埋設して前記錘に第２軸方向の回転運動をさせることを特徴とする請求項１記載のレーザーレベル。
【考案の詳細な説明】
【技術分野】
【０００１】
本考案は、レーザーレベルに関し、特に、設計が簡易なレーザーレベルに関する。
【背景技術】
【０００２】
科学技術の発展に伴い、レーザーレベル（レベル用レーザー照射装置）は、既に、建築、改装工事に広く応用され、レーザー光線の照射により対象物となる壁面などに映し出されたレーザー照射や受光器により、施工の水平または垂直のレベル出しを行なう補助用具となっている。
自動調整のレーザーレベルは、自動調整により水平または垂直のレーザー光面を発生し、目標物上に基準とする水平線または垂直線を投射し、建築、改装業界の脚光を浴びている。
【０００３】
従来技術は、多種の錘自動調整のレーザーレベルがあるが、各レーザー光面が使用するレーザー光源が発生する制限を受け、レーザーレベルの価格および体積は簡易化を達成することが難しくなっている。例えば、中華民国公告第２７０１７２号「立体投影レベリング投光計器」、中華民国公告第５７０１８８号「多方向レーザーレベルの改良」および中華民国公告第Ｍ２４７８２０号「吊り下げ可能なレーザー計器」等の特許が開示するレーザーレベルは、個別にレーザー光源を使用することにより各レーザー光面を発生するものであり、これに基づいてレーザーレベルの価格および体積を小さくすることは容易ではない。
【特許文献１】特開２００５−３１５８９９号公報
【特許文献２】特開２００３−３３７０２４号公報
【考案の開示】
【考案が解決しようとする課題】
【０００４】
本考案は、レーザーモジュールを使用し、レーザービームおよびクロスレーザー光面を発生し、レーザーレベルの価格と体積を低減できる構造の簡易なレーザーレベルを提供することを目的とする。
【課題を解決するための手段】
【０００５】
上記の目的を達成する為、本考案が提供する「レーザーレベル」は：シェルフと、錘と、レーザーモジュールと、分光鏡とクロススクリーンとを含むものであり、そのうち、錘は、シェルフ上にピン接合され、シェルフに対応して少なくとも2つの軸方向に回転運動を遂行し、錘の重心が重力方向に沿って鉛直線を定義できるようにする。レーザーモジュールは、錘中に設置され、鉛直線方向に沿って伝送するレーザービームを発生させることに用いられる。分光鏡は、錘中の前記レーザービームの伝送経路上に設置され、レーザービームを分光し、相互に直交する分光束および出射レーザービームを発生する。クロススクリーンは、錘中の分光束の伝送経路上に設置され、分光束をクロスレーザー光面へ変換する。
【考案の効果】
【０００６】
本考案は、レーザーモジュールを使用し、レーザービームおよびクロスレーザー光面を発生し、レーザーレベルの価格と体積を低減できる構造が簡易なレーザーレベルを提供する。
【考案を実施するための最良の形態】
【０００７】
図１〜図４は、レーザーレベルの実施例を示す図である。図中、レーザーレベル１は：シェルフ１０と、シェルフ１０上にピン接合し、シェルフ１０に対して少なくとも２つの軸方向の廻りに回転運動する錘２０と、錘２０中に設置されるレーザーモジュール３０と、例えば屋根型プリズム４０である分光鏡と、クロススクリーン５０と、レーザーモジュール６０とを含むものである。当該技術を熟知するものであれば、分かるように、クロススクリーン５０は、その他の入射レーザービームをクロスレーザー光面へ変換するレンズを選択して用いることにより置き換えることができる。
【０００８】
そのうち、シェルフ１０は、殻体１１と、支持部１２と、ムーブメント固定台１３とを含むものである。支持部１２は、螺子（図に示さず）により殻体１１上に固定し、ムーブメント固定台１３は、螺子１３１により貫通孔１３２を通して支持部１２の螺子孔１２１上に固定し、錘２０はベアリング台７０によりムーブメント固定台１３にピン接合され、そのピン接合方式は、下記に説明する。
【０００９】
図３，４に示すように、ベアリング台７０の中心にベアリング７１を埋設し、ベアリング７１の両側に、回転軸方向がベアリング７１と直交するベアリング７２，７３を埋設する。ベアリング７１の中心はベアリング固定螺子２１およびスリーブ２２を経由して錘２０上に固定し、錘２０を第１軸方向２３の廻りに回転運動させ、ベアリング７２，７３の中心は、それぞれ軸心７４，７５によりムーブメント固定台１３上に固定し、錘２０を第２軸方向２４の廻りに回転運動させる。
【００１０】
錘２０は、前記のように重力の影響に従い、揺動し、錘２０の重心が重力方向において鉛直線８１を定義できるようにする。レーザーモジュール３０は、錘２０中に設置し、鉛直線８１と垂直を成す方向に伝送するレーザービーム３１を発生することに用いる。屋根型プリズム４０は、錘２０中のレーザービーム３１の伝送経路上に設置され、レーザービーム３１を分光し、相互に直交する分光束３２および下方へ向かう出射レーザービーム３３を発生する。クロススクリーン５０は、プレスリング５１により調整リング５２中に固定され、錘２０の前端に設置され、分光束３２がクロススクリーン５０を経由し、前向きに投射されるクロスレーザー光面に変換できるようにする。
【００１１】
そのうち、クロススクリーン５０の上半部は、縦方向に延伸する波型模様を有し、分光束３２の一部分を鉛直線８１と同一方向の垂直レーザー光面に展開し、垂直面上に垂直基準線を投射することができる。また、クロススクリーン５０の下半部は、横方向に延伸する波型模様を有し、分光束３２の一部分を鉛直線と直交する水平レーザー光面に展開し、垂直面上に垂直基準線と直交する水平基準線を投射することができる。
【００１２】
また、レーザーモジュール６０は、屋根型プリズム４０上部の錘２０の貫通孔２５内に設置され、その位置は、屋根型プリズム４０が分光して発生する出射レーザービーム３３の真上であり、出射レーザービーム３３と一直線で反対方向の他の出射レーザービーム６１を発生することができる。
【００１３】
本考案の簡単な構造のレーザーレベル１は、使用者が、出射レーザービーム３３が投射する光点を地面上の基準点にあわせ、出射レーザービーム６１を利用して天井に地面の基準点に対応する他の基準点を投射して、施工の基準を設定させる。また、垂直面上に相互に直行する十字線を投射して、垂直角度を施工する基準とする。これらの構造は堅固であるだけでなく、信頼性が高く、使用者にとって十分に便利である。
【００１４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１５】
【図１】本考案の好適な実施例に基づくレーザーレベル内部の立体図である。
【図２】図１のレーザーレベルの殻体を脱いだ分解図である。
【図３】図２の錘およびそのうちの装置の組み合わせ断面図である。
【図４】図２の支持部、ムーブメント固定台、錘およびそのうちの装置の他の角度から見た組み合わせ断面図である。
【符号の説明】
【００１６】
１ レーザーレベル
１０ シェルフ
１１ 殻体
１２ 支持部
１２１ 螺子孔
１３ ムーブメント固定台
１３１ 螺子
１３２，２５ 貫通孔
２０ 錘
２１ ベアリング固定螺子
２２ スリーブ
３０，６０ レーザーモジュール
３１，３２，３３，６１ ビーム
４０ 屋根型プリズム
５０ クロススクリーン
５１ 押圧リング
５２ 調整リング
７０ ベアリング台
７１，７２，７３ ベアリング
７４，７５ シャフト
８１ 鉛直線
【図１】
0003128326.tif 000003
【図２】
0003128326.tif 000004
【図３】
0003128326.tif 000005
【図４】
0003128326.tif 000006